(57)【要約】  本技術は、ユーザ体験の向上を図ることができるようにする表示装置、及び表示制御方法に関する。ユーザを撮影して得られる画像フレームに応じた映像を表示部に表示するに際して、画像フレームにおけるユーザを含む第１の領域と第１の領域を除いた第２の領域のうちの少なくとも第２の領域の一部を含む照明領域の輝度を制御して、ユーザに対して光を発する照明として機能させる制御部を備える表示装置が提供される。本技術は、例えば、テレビ受像機に適用することができる。
2020090458.tif 000002
【特許請求の範囲】
【請求項１】
ユーザを撮影して得られる画像フレームに応じた映像を表示部に表示するに際して、前記画像フレームにおける前記ユーザを含む第１の領域と前記第１の領域を除いた第２の領域のうちの少なくとも前記第２の領域の一部を含む照明領域の輝度を制御して、前記ユーザに対して光を発する照明として機能させる制御部を備える
表示装置。
【請求項２】
前記表示部は、前記ユーザの鏡像又は正像の映像を表示することで、前記ユーザを映した鏡として機能し、
前記照明は、前記ユーザが化粧をする際に用いられる照明として機能する
請求項１に記載の表示装置。
【請求項３】
前記制御部は、AR技術により前記第１の領域に含まれる前記ユーザの映像に対して各種の情報を重畳する
請求項２に記載の表示装置。
【請求項４】
前記制御部は、前記ユーザの顔の映像に化粧を施した映像を表示する
請求項３に記載の表示装置。
【請求項５】
前記制御部は、
化粧品に関する情報を表示し、
前記ユーザにより選択された前記化粧品に応じた化粧を施す
請求項４に記載の表示装置。
【請求項６】
前記制御部は、前記ユーザの映像に対してアクセサリ及び衣装の少なくとも一方の映像を重畳した映像を表示する
請求項３に記載の表示装置。
【請求項７】
前記制御部は、前記第２の領域に含まれる背景の映像に対して所定の映像処理を施した映像を表示する
請求項２に記載の表示装置。
【請求項８】
前記制御部は、前記背景の映像に対するぼかし処理、又は前記ユーザの映像と他の背景の映像とを合成する合成処理を施す
請求項７に記載の表示装置。
【請求項９】
前記制御部は、前記照明領域の色温度を制御して、シチュエーションに応じた環境光をエミュレートする
請求項２に記載の表示装置。
【請求項１０】
前記制御部は、前記ユーザの化粧に応じたチュートリアル動画の映像を表示する
請求項２に記載の表示装置。
【請求項１１】
前記制御部は、前記ユーザの音声操作に応じて、前記チュートリアル動画の再生を制御する
請求項１０に記載の表示装置。
【請求項１２】
前記制御部は、前記第１の領域に含まれる前記ユーザの顔の映像の一部であって、前記ユーザの化粧の対象となる部位を部分的に拡大した映像を表示する
請求項１０に記載の表示装置。
【請求項１３】
ネットワークを介してサーバと通信する通信部をさらに備え、
前記通信部は、前記ユーザの操作に応じて、前記化粧品を含む商品を販売するサイトを提供するサーバにアクセスして、前記商品に関する情報をやりとりする
請求項５に記載の表示装置。
【請求項１４】
ネットワークを介してサーバと通信する通信部をさらに備え、
前記通信部は、前記ユーザの操作に応じて、SNSを提供するサーバにアクセスして、前記ユーザの化粧完了後の画像を送信する
請求項２に記載の表示装置。
【請求項１５】
前記第１の領域に含まれる前記ユーザの映像のデータを記録する記録部をさらに備え、  前記制御部は、前記記録部に記録された前記データに基づいて、前記ユーザの映像をタイムシフトで表示する
請求項２に記載の表示装置。
【請求項１６】
前記照明領域は、前記表示部における表示画面の上部、下部、左部、及び右部の領域のうちの少なくとも一部の領域を含む領域からなるか、又はドーナツ型の領域からなり、
前記制御部は、前記照明領域の明るさに応じて、前記照明領域の輝度を制御する
請求項２に記載の表示装置。
【請求項１７】
前記表示部は、
前記ユーザの位置が所定の範囲外となる場合、コンテンツの映像を表示し、
前記ユーザの位置が所定の範囲内になったとき、前記ユーザを映した鏡として機能する
請求項２に記載の表示装置。
【請求項１８】
前記表示部は、液晶表示部を含み、
前記制御部は、前記液晶表示部に対して設けられるバックライトの輝度を制御する
請求項１に記載の表示装置。
【請求項１９】
テレビ受像機として構成される
請求項１に記載の表示装置。
【請求項２０】
表示装置が、
ユーザを撮影して得られる画像フレームに応じた映像を表示部に表示するに際して、前記画像フレームにおける前記ユーザを含む第１の領域と前記第１の領域を除いた第２の領域のうちの少なくとも前記第２の領域の一部を含む照明領域の輝度を制御して、前記ユーザに対して光を発する照明として機能させる
表示制御方法。
【発明の詳細な説明】
【技術分野】
【０００１】
本技術は、表示装置、及び表示制御方法に関し、特に、ユーザ体験の向上を図ることができるようにした表示装置、及び表示制御方法に関する。
【背景技術】
【０００２】
近年、テレビ受像機等の表示装置は、高性能化に伴い、様々な機能を提供することが可能である（例えば、特許文献１参照）。
【先行技術文献】
【特許文献】
【０００３】
【特許文献１】米国特許第9198496号明細書
【発明の概要】
【発明が解決しようとする課題】
【０００４】
ところで、テレビ受像機等の表示装置では、様々な機能を提供するに際してユーザ体験の向上が求められている。【０００５】
本技術はこのような状況に鑑みてなされたものであり、ユーザ体験の向上を図ることができるようにするものである。
【課題を解決するための手段】
【０００６】
本技術の一側面の表示装置は、ユーザを撮影して得られる画像フレームに応じた映像を表示部に表示するに際して、前記画像フレームにおける前記ユーザを含む第１の領域と前記第１の領域を除いた第２の領域のうちの少なくとも前記第２の領域の一部を含む照明領域の輝度を制御して、前記ユーザに対して光を発する照明として機能させる制御部を備える表示装置である。【０００７】
本技術の一側面の表示制御方法は、表示装置が、ユーザを撮影して得られる画像フレームに応じた映像を表示部に表示するに際して、前記画像フレームにおける前記ユーザを含む第１の領域と前記第１の領域を除いた第２の領域のうちの少なくとも前記第２の領域の一部を含む照明領域の輝度を制御して、前記ユーザに対して光を発する照明として機能させる表示制御方法である。【０００８】
本技術の一側面の表示装置、及び表示制御方法においては、ユーザを撮影して得られる画像フレームに応じた映像が表示部に表示されるに際して、前記画像フレームにおける前記ユーザを含む第１の領域と前記第１の領域を除いた第２の領域のうちの少なくとも前記第２の領域の一部を含む照明領域の輝度が制御され、前記ユーザに対して光を発する照明として機能される。【０００９】
本技術の一側面の表示装置は、独立した装置であってもよいし、１つの装置を構成している内部ブロックであってもよい。
【図面の簡単な説明】
【００１０】
【図１】本技術を適用したシステムの構成の例を示す図である。
【図２】本技術を適用した表示装置の構成の例を示すブロック図である。
【図３】図２の表示部の構成の例を示すブロック図である。
【図４】表示装置に表示される表示画面の第１の例を示す図である。
【図５】アイキャッチ用の照明の第１の例を示す図である。
【図６】アイキャッチ用の照明の第２の例を示す図である。
【図７】表示装置に表示される表示画面の第２の例を示す図である。
【図８】表示装置に表示される表示画面の第２の例を示す図である。
【図９】複数台のカメラ部の設置の例を示す図である。
【図１０】表示画面の背景処理の例を示す図である。
【図１１】表示装置に表示される表示画面の第３の例を示す図である。
【図１２】表示装置に表示される表示画面の第４の例を示す図である。
【図１３】表示装置に表示される表示画面の第５の例を示す図である。
【図１４】表示装置に表示される表示画面の第６の例を示す図である。
【図１５】スマートミラー機能への切り替えタイミングの例を示す図である。
【図１６】表示装置の処理の流れを説明するフローチャートである。
【図１７】表示装置の処理の流れを説明するフローチャートである。
【図１８】表示装置の処理の流れを説明するフローチャートである。
【図１９】表示装置の処理の流れを説明するフローチャートである。
【図２０】表示装置の機能の第１の例を説明する図である。
【図２１】表示装置の機能の第２の例を説明する図である。
【図２２】図２の表示部の他の構成の例を示すブロック図である。
【図２３】コンピュータの構成の例を示す図である。
【発明を実施するための形態】
【００１１】
以下、図面を参照しながら本技術の実施の形態について説明する。なお、説明は以下の順序で行うものとする。
【００１２】
１．本技術の実施の形態
２．変形例
３．コンピュータの構成
【００１３】
＜１．本技術の実施の形態＞
【００１４】
（システムの構成）
図１は、本技術を適用したシステムの構成の例を示す図である。
【００１５】
表示装置１０は、例えばテレビ受像機などから構成される。表示装置１０は、放送信号を受信して処理することで、放送コンテンツの映像を表示するとともに、その音声を出力する。これにより、ユーザ１は、テレビ番組等の放送コンテンツを視聴することができる。
【００１６】
また、表示装置１０は、撮影機能を有しており、カメラ部によって正面に位置するユーザ１を撮影（撮像）してその映像を表示することで、ユーザ１を映した鏡（ミラー）として機能する。さらに、ユーザ１が、表示装置１０を鏡として利用する際に、表示装置１０では、液晶表示部に対して設けられるバックライトを制御することで、化粧（メイクアップ）や、アイキャッチ用の照明（ライティング）としても機能する。
【００１７】
表示装置１０はまた、無線LAN(Local Area Network)等の通信機能を有しており、例えば、室内に設置されたルータ２０と通信を行うことで、インターネット等のネットワーク４０を介して、サーバ３０−１乃至３０−Ｎ（Ｎは１以上の整数）にアクセスすることができる。サーバ３０−１乃至３０−Ｎは、各種のサービスを提供するサーバである。
【００１８】
例えば、サーバ３０−１は、例えばEC(Electronic Commerce)サイトや電子商店街（サイバーモール）などのウェブサイトを提供するサーバとされ、表示装置１０では、例えば化粧品等の商品を購入するための情報（ウェブページ）を提示することができる。また、例えば、サーバ３０−２は、ソーシャルネットワーキングサービス（SNS：Social Networking Service）を提供するサーバとされる。さらに、例えば、サーバ３０−３は、動画などの通信コンテンツを配信するサーバとされ、サーバ３０−４は、表示装置１０が実行可能なアプリケーションを配信するサーバとされる。なお、これ以上は例示しないが、サーバ３０−４乃至３０−Ｎによっても、様々なサービスが提供される。
【００１９】
このように、表示装置１０は、一般的なテレビ受像機としての機能のほかに、いわゆるスマートミラーとしての機能も有している。
【００２０】
（表示装置の構成）
図２は、本技術を適用した表示装置の構成の例を示すブロック図である。
【００２１】
図２において、表示装置１０は、制御部１００、チューナ部１０１、デコーダ部１０２、スピーカ部１０３、表示部１０４、通信部１０５、記録部１０６、カメラ部１０７、センサ部１０８、マイク部１０９、及び電源部１１０から構成される。
【００２２】
制御部１００は、例えば、CPU(Central Processing Unit)やマイクロコンピュータ等から構成される。制御部１００は、表示装置１０の各部の動作を制御する。
【００２３】
チューナ部１０１には、送信局から送信される放送信号であって、受信用のアンテナを介して受信された放送信号が入力される。チューナ部１０１は、制御部１００からの制御に従い、受信信号に対する必要な処理（例えば復調処理等）を行い、その結果得られるストリームを、デコーダ部１０２に供給する。
【００２４】
デコーダ部１０２には、チューナ部１０１から供給されるストリームとして、映像ストリームと音声ストリームがそれぞれ供給される。
【００２５】
デコーダ部１０２は、制御部１００からの制御に従い、音声ストリームをデコードし、その結果得られる音声信号を、スピーカ部１０３に供給する。また、デコーダ部１０２は、制御部１００からの制御に従い、映像ストリームをデコードし、その結果得られる映像信号を、表示部１０４に供給する。
【００２６】
スピーカ部１０３は、制御部１００からの制御に従い、デコーダ部１０２から供給される音声信号に対して必要な処理を行い、音声信号に応じた音声を出力する。表示部１０４は、制御部１００からの制御に従い、デコーダ部１０２から供給される映像信号に対して必要な処理を行い、映像信号に応じた映像を表示する。なお、表示部１０４の詳細な構成は、図３を参照して後述する。
【００２７】
通信部１０５は、無線LAN等の無線通信、又はセルラ方式の通信（例えばLTE-Advancedや5G等）等に対応した通信モジュールなどから構成される。通信部１０５は、制御部１００からの制御に従い、各種のデータを、ネットワーク４０を介してサーバ３０とやりとりする。
【００２８】
記録部１０６は、例えば半導体メモリやHDD(Hard Disk Drive)、データを一時的に記憶するバッファ装置などの記憶装置から構成される。記録部１０６は、制御部１００からの制御に従い、各種のデータを記録する。
【００２９】
カメラ部１０７は、例えばCMOS(Complementary Metal Oxide Semiconductor)イメージセンサやCCD(Charge Coupled Device)イメージセンサ等のイメージセンサと、カメラISP(Image Signal Processor)等の信号処理部を含んで構成される。
【００３０】
カメラ部１０７は、制御部１００からの制御に従い、イメージセンサによって被写体を撮影して得られる撮影信号に対し、信号処理部によって各種の信号処理を行う。カメラ部１０７は、信号処理の結果得られる画像フレームの映像信号を、制御部１００に供給する。
【００３１】
なお、カメラ部１０７は、表示装置１０に内蔵されるようにするほか、所定のインターフェースを介して外付けされてもよい。また、カメラ部１０７は、１つに限らず、表示装置１０における所定の位置に複数個設けてもよい。
【００３２】
センサ部１０８は、各種のセンサを含んで構成される。センサ部１０８は、制御部１００からの制御に従い、表示装置１０の周辺に関する様々な情報を得るためのセンシングを行う。センサ部１０８は、そのセンシング結果に応じたセンサのデータを、制御部１００に供給する。
【００３３】
センサ部１０８としては、例えば、周囲の色温度を検出する色センサ、対象物体までの距離を計測する測距センサ、周囲の明るさを検出する環境光センサなど、様々なセンサを含めることができる。
【００３４】
マイク部１０９は、外部からの音（音声）を電気信号に変換し、その結果得られる音声信号を、制御部１００に供給する。
【００３５】
電源部１１０は、制御部１００からの制御に従い、外部電源又は蓄電池から得られる電源電力を、制御部１００を含む表示装置１０の各部に供給する。
【００３６】
（表示部の構成）
図３は、図２の表示部１０４の構成の例を示すブロック図である。
【００３７】
図３において、表示部１０４は、信号処理部１２１、表示駆動部１２２、液晶表示部１２３、バックライト駆動部１２４、及びバックライト１２５を含む。
【００３８】
信号処理部１２１は、そこに入力される映像信号に基づいて、所定の映像信号処理を行う。この映像信号処理では、液晶表示部１２３の駆動を制御するための映像信号が生成され、表示駆動部１２２に供給される。また、この映像信号処理では、バックライト１２５の駆動を制御するための駆動制御信号（BL駆動制御信号）が生成され、バックライト駆動部１２４に供給される。
【００３９】
表示駆動部１２２は、信号処理部１２１から供給される映像信号に基づいて、液晶表示部１２３を駆動する。液晶表示部１２３は、液晶素子及びTFT(Thin Film Transistor)素子を含む画素を２次元状に配置した表示パネルであり、表示駆動部１２２からの駆動に従い、バックライト１２５から射出された光を変調することにより表示を行う。
【００４０】
液晶表示部１２３は、例えば、ガラス等から構成される２枚の透明基板の間に液晶材料を封入したものである。これらの透明基板の液晶材料に面した部分には、例えばITO(Indium Tin Oxide)等から構成される透明電極が形成され、液晶材料とともに画素を構成している。なお、液晶表示部１２３において、各画素は、例えば、赤色（Ｒ）、緑色（Ｇ）、青色（Ｂ）の３つのサブ画素により構成される。
【００４１】
バックライト駆動部１２４は、信号処理部１２１から供給される駆動制御信号（BL駆動制御信号）に基づいて、バックライト１２５を駆動する。バックライト１２５は、バックライト駆動部１２４からの駆動に従い、液晶表示部１２３に対し、複数の発光素子により発光した光を射出する。なお、発光素子としては、例えば、LED(Light Emitting Diode)を用いることができる。
【００４２】
ここで、バックライト１２５は、複数の部分発光領域に分割されていてもよく、各部分発光領域には、例えばLED等の発光素子が１又は複数配置される。このとき、バックライト駆動部１２４によって、各部分発光領域ごとにBL駆動制御信号を変えた点灯制御、いわゆる部分駆動がなされてもよい。また、ここでは、バックライト１２５の部分駆動を利用して、輝度のダイナミックレンジを向上させることができる。この輝度のダイナミックレンジを向上させる技術は、「輝度の突き上げ」とも呼ばれ、例えば、次のような原理で実現される。
【００４３】
すなわち、表示部１０４において、映像信号の輝度レベルとして100％の白色映像を画面全体に一様に表示する場合、バックライト１２５における複数の部分発光領域をすべて点灯させる。この状態での表示部１０４の出力輝度を100％、バックライト１２５の消費電力は全体の半分の発光領域につき200Ｗ、バックライト１２５全体として400Ｗであるものとする。また、バックライト１２５は全体として400Ｗの電力制限があるものとする。
【００４４】
これに対して、表示部１０４において、画面の半分を映像信号の輝度レベルが最小の黒表示、画面の他の半分の映像信号の輝度レベルとして100％の白表示となる場合を想定する。この場合、黒表示の部分はバックライト１２５を消灯し、バックライト１２５の消費電力を0Ｗにすることができる。一方で、白表示の部分のバックライト１２５は、消費電力を200Ｗとしてもよいが、その場合、黒表示の部分を消灯したことにより、200Ｗの電力余裕度が生まれる。そして、白表示の部分のバックライト１２５の電力を200Ｗ＋200Ｗ＝400Ｗにまで上げることが可能である。これにより、上述の例と比べて、表示部１０４における出力最大輝度値LMAXを200％に上げることができる。このような原理により「輝度の突き上げ」が実現される。
【００４５】
なお、図２に示した表示装置１０の構成は一例であって、他の構成要素を含めることができる。例えば、テレビ受像機としての表示装置１０が、リモートコントローラを用いて操作される場合には、赤外線の信号を受光する受光部などが設けられる。
【００４６】
また、表示装置１０では、テレビ番組等の放送コンテンツを再生するだけでなく、例えば、サーバ３０−３から配信される動画等の通信コンテンツや、HDMI（登録商標）(High-Definition Multimedia Interface)やUSB(Universal Serial Bus)等の所定の方式に対応したインターフェースを介して入力される録画コンテンツ等のコンテンツが再生されてもよい。さらに、表示装置１０では、サーバ３０−４から配信されるアプリケーション（例えば、スマートミラーアプリケーション等）をダウンロードして実行することができる。このアプリケーションとしては、例えば、制御部１００により実行されるネイティブアプリケーションのほか、ブラウザを実行して画面を表示するウェブアプリケーションであってもよい。
【００４７】
（スマートミラー機能）
次に、図４乃至図１５を参照しながら、表示装置１０のスマートミラー機能について説明する。
【００４８】
（第１の例）
図４は、表示装置１０に表示される表示画面の第１の例を示している。
【００４９】
図４において、表示装置１０は、その正面に位置するユーザ１をカメラ部１０７により撮影して、その映像を表示部１０４（の液晶表示部１２３）に表示している。
【００５０】
この表示画面の中央部の領域には、その正面に位置するユーザ１の映像が表示される。また、表示画面の左部と右部の領域（照明領域）には、アイキャッチ用の照明としての複数の照明１５１が縦方向に４つずつ表示され、表示画面の下部の領域には、化粧品等の商品に関する商品情報１６１が表示される。
【００５１】
ここで、アイキャッチ用の照明として左部と右部の領域に複数の照明１５１を表示することで、例えば女優が化粧する楽屋や、百貨店の化粧品売り場などのように、ユーザ１（の顔）に対して、様々な角度から均等に照明を照らして、（顔の影を消して）正しく化粧をすることができる。複数の照明１５１を表示するに際しては、制御部１００によって、照明領域の明るさに応じて、表示部１０４のバックライト１２５の輝度が制御されるが、ここでは、例えば、上述した「輝度の突き上げ」の技術を適用して、白表示の部分（照明領域）のバックライト１２５の電力を上げることで、アイキャッチ用の照明を実現することができる。
【００５２】
このように、表示装置１０では、アイキャッチ用の照明として複数の照明１５１を表示することで、化粧をするときに最適な照明を、ユーザ１の自宅で再現している（図５のＡ）。このとき、表示装置１０に表示されるユーザ１の映像は、左右の複数の照明１５１に照らされた状態とされ、例えば、ユーザ１の瞳には、左右の複数の照明１５１が映り込む（図５のＢ）。
【００５３】
なお、アイキャッチ用の照明としては、左部と右部の領域にて縦方向に複数の照明１５１をそれぞれ表示したものに限らず、例えば、所定の形状からなる照明を設けたりしてもよい。図６のＡは、アイキャッチ用の照明としてドーナツ型の照明１５２を表示した場合の例を示している。この場合、表示装置１０に表示されるユーザ１の映像として、その瞳には、ドーナツ型の照明１５２が映り込む（図６のＢ）。さらに、照明の数も縦方向に４つに限らず、任意の数を表示することができる。
【００５４】
また、アイキャッチ用の照明としては、上部と下部の領域にて横方向に複数の照明を表示してもよい。すなわち、表示装置１０では、表示部１０４における表示画面の上部、下部、左部、及び右部の領域のうち少なくとも一部の領域を照明領域として、複数の照明を表示することができる。ここで、照明領域は、画像フレームにおけるユーザ１（の画像）を含む第１の領域と、第１の領域を除いた第２の領域（背景を含む領域）のうちの少なくとも第２の領域の一部を含む領域とされる。
【００５５】
（第２の例）
図７は、表示装置１０に表示される表示画面の第２の例を示している。
【００５６】
図７において、表示装置１０は、その正面に位置するユーザ１をカメラ部１０７により撮影して、その映像を表示部１０４に表示する際に、拡張現実（AR：Augmented Reality）の技術（AR技術）を用いて実世界（実空間）に存在しない各種の情報（仮想的な情報）を重畳表示している。なお、AR技術としては、例えば、マーカーレス型やマーカー型のARなど、公知の技術を用いることができる。
【００５７】
ここでは、例えば、表示画面のユーザ１の顔の映像に、AR技術によって化粧が施されている（図７のＡ）。また、AR技術によって重畳表示されるのは、化粧に限らず、例えば、表示画面のユーザ１の映像に対し、衣装（洋服）やアクセサリが重畳表示されてもよい（図７のＢ）。例えば、ユーザ１は、自分のワードローブ（持ち衣装）や、アクセサリに関する情報をあらかじめ登録しておくことで、表示装置１０は、お勧めの衣装やアクセサリの組み合わせを提示することができる。
【００５８】
なお、ユーザ１による衣装等に関する情報の登録は、表示装置１０を操作して行うことは勿論、例えば、スマートフォンやタブレット端末等の携帯端末で、専用のアプリケーションを起動して行ってもよい。また、お勧めの衣装等の組み合わせは、表示装置１０（の制御部１００）が所定のアルゴリズムを用いて決定してもよいし、あるいはネットワーク４０を介して例えば機械学習を利用した推薦サーバ等の専用のサーバ３０に問い合わせてもよい。さらには、表示装置１０等の機器側がお勧めの組み合わせを提示するのではなく、ユーザ１が、自分で衣装やアクセサリの組み合わせを選択してもよい。
【００５９】
その後、例えば、ユーザ１は、AR技術により表示された化粧をするための化粧品を購入して化粧をしたり、お勧めの衣装に着替えたり、アクセサリを身につけたりすることで、化粧後の状態を、表示装置１０に表示される映像で確認することができる（図８）。なお、図８において、表示装置１０に表示される映像は、カメラ部１０７により撮影された現実の映像であって、AR技術により各種の情報を重畳表示した映像ではない。また、AR技術により表示される衣装やアクセサリは、ユーザ１が所持していないものであってもよく、それらの衣装やアクセサリの購入を促すようにしてもよい。
【００６０】
ところで、表示装置１０では、ユーザ１の背景の映像にはぼかし処理を施しているが、背景をぼかすことで、例えば、室内の散らかった状態が認識されないようにしている。
【００６１】
ここでは、図９に示すように、例えば、表示装置１０における表示部１０４（の液晶表示部１２３）の枠に、左右に１つずつカメラ部１０７−１とカメラ部１０７−２をそれぞれ取り付けて、２台のカメラ部１０７−１，１０７−２によってユーザ１をそれぞれ撮影する。このように、２台のカメラ部１０７−１，１０７−２を使用して、ユーザ１を２つの異なる方向から同時に撮影することで、その奥行きの情報が得られ、近接しているユーザ１の顔や体（の各部位）の領域を抽出することができる。
【００６２】
そして、表示装置１０では、制御部１００によって、抽出されたユーザ１の顔や体の領域を除いた領域（背景の領域）に対し、ぼかし処理を施して室内の散らかった状態をぼかすことができる（図１０のＡ）。なお、背景の映像（領域）に対する映像処理は、ぼかし処理に限らず、他の処理が施されてもよい。例えば、制御部１００は、抽出されたユーザ１の顔や体の領域に対するマスク処理を施して異なる背景の映像（例えばパーティ会場の建物の画像など）を合成する合成処理を行ってもよい（図１０のＢ）。
【００６３】
（第３の例）
図１１は、表示装置１０に表示される表示画面の第３の例を示している。
【００６４】
図１１において、表示装置１０では、例えば色センサ等のセンサ部１０８により室内（周辺）の色温度を検出し、検出した色温度に対するユーザ１の出かける先（例えば、夜のパーティ会場など）の色温度を、表示部１０４（に表示される複数の照明１５１に対応した照明領域）のバックライト１２５を制御して再現することで、シチュエーションに応じた環境光をエミュレートする。この環境光のエミュレーションによって、ユーザ１は、実際に出かける先にて化粧が映えるかどうかを確認することができる（図１１のＢ）。
【００６５】
なお、ユーザ１の出かける先に関する情報は、あらかじめ登録することになるが、この登録方法としては、表示装置１０を操作して行うことは勿論、例えば、スマートフォン等の携帯端末で、専用のアプリケーションを起動して登録したり、あるいは、ユーザ１が利用しているスケジュールのアプリケーションと連携して出かける先に関する情報が取得したりしてもよい。また、色センサ等のセンサ部１０８を用いる代わりに、カメラ部１０７により撮影された画像フレームを解析することで、表示装置１０が設置された室内の色温度を検出してもよい。
【００６６】
（第４の例）
図１２は、表示装置１０に表示される表示画面の第４の例を示している。
【００６７】
図１２において、表示装置１０は、その正面に位置するユーザ１をカメラ部１０７により撮影して、その映像を表示部１０４に表示するとともに、その映像のデータを記録部１０６に記録（又はバッファリング）している。これにより、表示装置１０は、リアルタイムの映像とともに、記録部１０６に記録（又はバッファリング）した過去の映像を表示することができる。
【００６８】
例えば、現在（時刻t1）において、表示装置１０の表示画面側を向いているユーザ１が、そのX秒前（時刻t0）においてその反対側、すなわち、表示装置１０の表示画面に対して後ろを向いていた場合を想定する。この場合において、後ろを向いていたユーザ１の映像のデータは、記録部１０６に記録されているため、表示装置１０は、現在（時刻t1）とX秒前（時刻t0）におけるユーザ１の映像を同時に表示することができる。これにより、ユーザ１は、現在の自分の正面の姿だけでなく、時間差（タイムシフト）で表示される過去（例えば数秒前）の自分の後ろ姿を確認することができる。
【００６９】
また、この例では、表示装置１０の表示画面に対してユーザ１が後ろを向いている場合を説明したが、ユーザ１の向きは後ろ向きに限らず、例えば、横向きのユーザ１の映像のデータを記録することで、ユーザ１は、化粧や衣装の確認を行うに際して、自分の正面の姿や後ろ姿とともに横顔なども確認することができる。なお、表示装置１０の表示画面に表示される映像は、鏡像だけでなく、正像に切り替えることが可能であり、例えば、鏡像から正像の表示に切り替えることで、ユーザ１は、他人から見られている自分の姿を確認することができる。
【００７０】
（第５の例）
図１３は、表示装置１０に表示される表示画面の第５の例を示している。
【００７１】
図１３において、表示装置１０は、その正面に位置するユーザ１をカメラ部１０７により撮影して、その映像を表示するとともに、化粧用のチュートリアル動画１７１を再生している（図１３のＡ）。これにより、ユーザ１は、チュートリアル動画１７１の内容を確認しながら、化粧をすることができる。
【００７２】
ここで、ユーザ１が、チュートリアル動画１７１のある場面をもう一度見たい場合に、「今のところもう一度再生して」である発話を行った場面を想定する（図１３のＢ）。このとき、表示装置１０では、マイク部１０９によりユーザ１の発話が収音され、その音声信号に対する音声認識処理が行われる。この音声認識処理では、音声テキスト変換用のデータベース等が適宜参照されることで、音声データがテキストデータに変換される。
【００７３】
このように得られる音声認識結果に対して意味解析処理が行われる。この意味解析処理では、音声言語理解用のデータベース等が適宜参照されることで、自然言語である音声認識結果（テキストデータ）が、機械（表示装置１０）が理解できる表現に変換される。ここでは、例えば、意味解析結果として、ユーザ１が実行させたい意図（Intent）とそのパラメータとなる実体情報（Entity）が得られる。
【００７４】
表示装置１０は、意味解析結果に基づき、チュートリアル動画１７１の早戻しを行い、対象のシーンが再度再生されるようにする。表示装置１０では、このような音声操作に対応しているため、ユーザ１は、化粧中に両手が塞がっていても、音声によって動画再生を操作することができる。
【００７５】
なお、図１３の例では、チュートリアル動画１７１の再生制御として、音声操作に応じた早戻しが行われる場合を例示したが、早戻しに限らず、例えば、早送りや一時停止、スロー再生などの再生制御が、ユーザ１による音声操作に応じて行われてもよい。また、チュートリアル動画１７１は、例えば、サーバ３０−３から配信される通信コンテンツとして再生される。さらに、表示装置１０において行われる音声認識処理や意味解析処理等の処理の一部の処理が、ネットワーク４０を介して音声認識や意味解析を行う認識・解析サーバ等の専用のサーバ３０により行われてもよい。
【００７６】
また、図１３の例では、チュートリアル動画１７１の再生を音声操作する場合を説明したが、この音声操作の対象としては、それに限らず、例えば、アイキャッチ用の照明のパターンの変更を指示したり、背景の変更を指示したり、環境光のエミュレーションを指示したり、拡大映像の表示を指示したりすることができる。さらに、ユーザ１による音声操作によって、表示装置１０に表示される映像として、鏡像の表示と正像の表示とが切り替わるようにしてもよい。
【００７７】
（第６の例）
図１４は、表示装置１０に表示される表示画面の第６の例を示している。
【００７８】
図１４において、表示装置１０は、ユーザ１の映像を表示するとともに、化粧用のチュートリアル動画１７１と、ユーザ１の化粧の対象となる部位（例えば、口紅を塗っている口等）を部分的に拡大した拡大映像１７２を表示している。これにより、ユーザ１は、口紅を塗っている口等のリアルタイムで表示される拡大映像１７２を、口紅の塗り方等のチュートリアル動画１７１と比較して確認しながら、化粧をすることができる。
【００７９】
（スマートミラー機能への切り替えの例）
なお、表示装置１０において、通常のテレビ機能とスマートミラー機能とを切り替えるタイミングであるが、例えば、表示装置１０に対するユーザ１の位置が所定の範囲内にあるかをトリガとすることができる。すなわち、表示装置１０では、例えば測距センサ等のセンサ部１０８によりユーザ１の位置（現在位置）を検出し、その検出位置に応じた値が所定の閾値以上となる場合には、ユーザの位置が所定の範囲外となるため、通常のテレビ機能を実行する（図１５のＡ）。
【００８０】
一方で、表示装置１０では、検出位置に応じた値が所定の閾値未満となる場合には、ユーザの位置が所定の範囲内となるため、スマートミラー機能を実行する（図１５のＢ）。すなわち、ユーザ１が化粧を行う場合には、表示装置１０に対してある程度近づいた位置にくることが想定されるため、ここでは、それをトリガとして利用している。
【００８１】
また、ここでは、カメラ部１０７により撮影された画像フレームを用いた顔認識処理などの処理が行われるようにしてもよい。例えば、テレビ受像機としての表示装置１０において、スマートミラー機能を使用するユーザの顔情報をあらかじめ登録して顔認識処理を実行することで、例えば、４人家族を想定した場合に、父親か息子が表示装置１０に近づいても通常のテレビ機能が維持される一方で、母親か娘が表示装置１０に近づいたときにはスマートミラー機能が実行されることになる。
【００８２】
（処理の流れ）
次に、図１６乃至図１９のフローチャートを参照して、表示装置１０で実行される処理の流れを説明する。
【００８３】
表示装置１０は、ユーザ１により所定の操作が行われた場合、電源をオンする（Ｓ１１）。これにより、表示装置１０では、電源部１１０からの電力が各部に供給され、例えば、選局されたテレビ番組の映像が表示部１０４に表示される。
【００８４】
その後に、表示装置１０は、スマートミラーアプリケーションを起動する（Ｓ１２）。ここでは、例えば、制御部１００は、センサ部１０８からの検出結果に基づき、表示装置１０に対するユーザ１の位置が所定の範囲内にある場合、記録部１０６に記録されたスマートミラーアプリケーションを起動する。
【００８５】
そして、表示装置１０では、スマートミラーアプリケーションが起動されると、カメラ入力映像とアイキャッチ用の照明が表示される（Ｓ１３，Ｓ１４）。ここでは、制御部１００は、カメラ部１０７により撮影された画像フレームの映像と、アイキャッチ用の照明として複数の照明１５１が、表示部１０４に表示されるように制御する。なお、ここでは、上述したように、例えば、「輝度の突き上げ」の技術を適用して、白表示の部分（照明領域）のバックライト１２５の電力を上げることで、アイキャッチ用の照明を実現することができる。
【００８６】
これにより、表示装置１０（の表示部１０４）では、例えば、図４に示した表示画面が表示され、ユーザは、スマートミラー機能を利用することができる。その後、表示装置１０の動作としては、様々な動作が想定されるが、ここでは、その一例として、図１７に示したARモードの動作と、図１８に示したお手本モードの動作を説明する。
【００８７】
まず、図１７を参照して、表示装置１０によるARモードの動作を説明する。表示装置１０は、ユーザ１により所定の操作が行われた場合、ARモードの動作を開始する（Ｓ３１）。
【００８８】
表示装置１０は、ユーザ１が試したい化粧品の選択を受け付ける（Ｓ３２）。ここでは、例えば、表示部１０４の表示画面において、下部の領域に表示される商品情報１６１の中から、ユーザ１による所定の操作に応じた所望の化粧品が選択される。
【００８９】
表示装置１０は、AR技術によりユーザ１に化粧を重ねた映像を表示する（Ｓ３３）。ここでは、制御部１００は、カメラ部１０７により撮影された画像フレームに含まれるユーザ１の映像として、ユーザ１によりステップＳ３２の処理で選択された化粧品に応じた化粧を施した映像が、表示部１０４に表示されるように制御する。これにより、表示装置１０（の表示部１０４）では、例えば、図７のＡに示した表示画面が表示される。
【００９０】
次に、表示装置１０は、ユーザ１によるシチュエーションの選択を受け付ける（Ｓ３４）。ここでは、制御部１００は、ユーザ１による所定の操作に応じて入力される、ユーザ１の出かける先などに応じたシチュエーション（例えば、屋外やパーティなど）が選択される。
【００９１】
表示装置１０は、シチュエーションに沿った色に照明を変化させる（Ｓ３５）。ここでは、制御部１００は、ステップＳ３４の処理で選択されたシチュエーション（例えば、屋外やパーティなど）に応じた色温度を、照明領域のバックライト１２５を制御して再現することで、表示部１０４に表示される複数の照明１５１の色が変化する（例えば、白色から赤みを帯びた色に変化する）。これにより、表示装置１０（の表示部１０４）では、例えば、図１１のＢに示した表示画面（ただし、衣装とアクセサリは非重畳）が表示され、シチュエーションに応じた環境光がエミュレートされる。
【００９２】
次に、表示装置１０は、ユーザ１が試したいアクセサリと衣装の選択を受け付ける（Ｓ３６）。ここでは、例えば、あらかじめ登録されたワードローブの中から、ユーザによる所定の操作に応じた所望のアクセサリと衣装が選択される。
【００９３】
表示装置１０は、AR技術によりユーザ１にアクセサリと衣装を重ねた映像を表示する（Ｓ３７）。ここでは、制御部１００は、カメラ部１０７により撮影された画像フレームに含まれるユーザ１の映像として、化粧を施すとともに、ステップＳ３６の処理で選択されたアクセサリと衣装が重畳された映像が、表示部１０４に表示されるように制御する。これにより、表示装置１０（の表示部１０４）では、例えば、図１１のＢに示した表示画面が表示される。
【００９４】
その後、ユーザ１が商品（選択した化粧品）の購入操作を行うかどうかが判定される（Ｓ３８）。表示装置１０は、ユーザ１が商品の購入操作を行うと判定された場合（Ｓ３８の「YES」）、ネットワーク４０を介して、所望の化粧品のECサイトを提供するサーバ３０−１にアクセスする（Ｓ３９）。これにより、ユーザ１は、ECサイトを利用して、所望の化粧品を購入することができる。なお、ここでは、化粧品に限らず、例えば、ユーザ１が所持していないアクセサリや衣装を重畳表示して、ユーザ１がそれらのアクセサリや衣装を気に入った場合には、ECサイトを利用して購入できるようにしてもよい。
【００９５】
このように、表示装置１０がARモードの動作することで、ユーザ１は、化粧やアクセサリ、衣装を試すことができる。
【００９６】
次に、図１８を参照して、表示装置１０によるお手本モードの動作を説明する。表示装置１０は、ユーザ１により所定の操作が行われた場合、お手本モードの動作を開始する（Ｓ５１）。
【００９７】
表示装置１０は、ユーザ１によるシチュエーションの選択を受け付ける（Ｓ５２）。ここでは、制御部１００は、ユーザ１の出かける先などに応じたシチュエーション（例えば、屋外やパーティなど）が選択される。
【００９８】
表示装置１０は、シチュエーションに沿った色に照明を変化させる（Ｓ５３）。ここでは、制御部１００は、ステップＳ５２の処理で選択されたシチュエーション（例えば、屋外やパーティなど）に応じた色温度を、照明領域のバックライト１２５を制御して再現することで、表示部１０４に表示される複数の照明１５１の色が変化する。これにより、表示装置１０では、シチュエーションに応じた環境光がエミュレートされる。
【００９９】
表示装置１０は、ユーザ１がこれから化粧する化粧品の選択を受け付ける（Ｓ５４）。ここでは、例えば、表示部１０４の表示画面において、所定の領域に表示される化粧品の中から、ユーザ１による所定の操作に応じた化粧品（化粧で用いる化粧品）が選択される。
【０１００】
表示装置１０は、カメラ部１０７により撮影された画像フレームに応じた映像（化粧しているユーザ１の映像）を表示するとともに、化粧用のチュートリアル動画を再生する（Ｓ５５，Ｓ５６）。ここでは、通信部１０５が、制御部１００からの制御に従い、ネットワーク４０を介してサーバ３０−３にアクセスすることで、ステップＳ５４の処理で選択された化粧品（例えば口紅）に応じたチュートリアル動画のストリーミングデータが受信される。そして、表示装置１０では、制御部１００により再生プレイヤが起動され、ストリーミングデータが処理されることで、当該チュートリアル動画が再生される。
【０１０１】
これにより、表示装置１０（の表示部１０４）では、例えば、図１３のＡに示した表示画面が表示される。ユーザ１は、チュートリアル動画１７１を見ながら、お手本に合わせて化粧をすることができる。
【０１０２】
その後、チュートリアル動画の再生位置を変えるかどうかが判定される（Ｓ５７）。表示装置１０は、チュートリアル動画の再生位置を変えると判定した場合（Ｓ５７の「YES」）、ユーザ１による音声操作に応じてチュートリアル動画の再生位置を変更する（Ｓ５８）。
【０１０３】
ここでは、例えば、ユーザ１により「今のところもう一度再生して」である発話がなされた場合、その音声がマイク部１０９により収音されるので、制御部１００は、その音声信号に対する音声認識処理や意味解析処理等の処理を行うことで、再生プレイヤにより再生されるチュートリアル動画１７１の再生位置を制御する（図１３のＢ）。
【０１０４】
ステップＳ５８の処理が終了すると、処理は、ステップＳ５６に戻り、それ以降の処理が繰り返される。また、チュートリアル動画の再生位置を変えないと判定された場合（Ｓ５７の「NO」）、処理は、ステップＳ５９に進められる。この判定処理では、ユーザ１による化粧が完了したかどうかが判定される（Ｓ５９）。そして、ユーザ１による化粧が完了したと判定された場合（Ｓ５９の「YES」）、表示装置１０では、お手本モードの動作を終了し、例えば、図１９に示した撮影モードの動作が行われる。
【０１０５】
表示装置１０は、ユーザ１による背景の選択を受け付ける（Ｓ７１）。また、表示装置１０は、ユーザ１による音声操作に応じた撮影指示を受け付ける（Ｓ７２）。
【０１０６】
そして、表示装置１０は、ステップＳ７２の処理でユーザ１からの撮影指示を受け付けた場合、撮影モードの動作を開始する（Ｓ７３）。このとき、表示装置１０では、実際に撮影を行うまでのカウントダウンが開始され、カウントダウンが終了したとき（Ｓ７４の「YES」）、カメラ部１０７によりユーザ１が撮影される（Ｓ７５）。
【０１０７】
そして、表示装置１０は、撮影したユーザ１の画像と選択した背景の画像とを合成して表示する（Ｓ７６）。ここでは、例えば、制御部１００によって、ステップＳ７５の処理で得られる画像フレームから抽出されるユーザ１の顔や体の領域に対するマスク処理が施され、ステップＳ７１の処理で選択された背景の画像（例えばパーティ会場の建物の画像）を合成する合成処理が行われることで、その結果得られる合成画像が表示される。
【０１０８】
このとき、ユーザ１が合成画像をSNSに投稿するかどうかが判定される（Ｓ７７）。表示装置１０は、SNSに投稿すると判定された場合（Ｓ７７の「YES」）、ユーザ１による合成画像の投稿先の選択を受け付ける（Ｓ７８）。ここでは、例えば、ユーザ１が会員に登録されているSNSの一覧が表示され、その一覧から、合成画像の投稿先となるSNSを選択することができる。
【０１０９】
そして、表示装置１０は、合成画像のデータを、選択したSNSのサーバ３０−２に送信する（Ｓ７９）。ここでは、通信部１０５によって、ステップＳ７６の処理で得られる合成画像のデータが、ネットワーク４０を介して、ステップＳ７８の処理で選択されたSNSのサーバ３０−２に送信される。これにより、合成画像がSNSに投稿され、当該合成画像を、例えばユーザ１の友人や家族などが携帯端末等を利用して閲覧することができる。
【０１１０】
なお、SNSに投稿しないと判定された場合（Ｓ７７の「NO」）には、ステップＳ７８，Ｓ７９の処理はスキップされ、図１９の処理は終了する。この場合には、例えば、合成画像のデータは、記録部１０６に記録される。
【０１１１】
以上、表示装置１０で実行される処理の流れを説明した。以上の処理の流れをまとめると、例えば、図２０と図２１のように表すことができる。
【０１１２】
すなわち、テレビ受像機としての表示装置１０は、スマートミラーとしての機能を有し、アイキャッチ用の照明として、高輝度のバックライト１２５を利用することで、ユーザ１は、アイキャッチも完璧にすることができる（図２０のＡ）。また、ここでは、アイキャッチ用の照明のデザインを、複数のデザインの中から自由に選択することができる（図２０のＢ）。
【０１１３】
さらに、表示装置１０では、AR技術を用いて、実空間のユーザ１に対し、化粧や衣装、アクセサリ等の情報を付加して実世界を拡張したり、環境光のエミュレーションを行ったり、背景をぼかしたりすることで、シチュエーションを含めて商品の映え具合を確認することができる（図２０のＣ）。そして、表示装置１０では、実店舗での商品の在庫や入荷情報を提示したり、ECサイトのサーバ３０−１にアクセスして商品購入のページを提示したりすることで、ユーザ１の商品の購買意欲を向上させることができる。このようにして、テレビ受像機としての表示装置１０は、ユーザ体験（UX：User Experience）の向上を図ることができる。
【０１１４】
また、テレビ受像機としての表示装置１０は、ユーザ１が化粧する際に、お手本としてチュートリアル動画を再生することができるため、ユーザ１は、チュートリアル動画を見ながら化粧をすることができる（図２１のＡ）。このとき、ユーザ１は、チュートリアル動画に対する操作（例えば早戻し等）を行う場合に、音声操作による指示が可能であるため、化粧の作業中に両手が塞がっている状態でも操作することができる（図２１のＢ）。
【０１１５】
さらに、表示装置１０では、ユーザ１が撮影した画像（合成画像）をSNSに投稿する場合に、例えば、自分撮り（自撮り）の画像（映像）を事前に確認したり（図２１のＣ）、あるいは、背景を合成した合成画像を事前に確認したり（図２１のＤ）することができる。そのため、ユーザ１は、よりSNSで映える画像を投稿することができる。このようにして、テレビ受像機としての表示装置１０は、ユーザ体験（UX）の向上を図ることができる。
【０１１６】
＜２．変形例＞
【０１１７】
上述した説明において、表示装置１０は、テレビ受像機であるとして説明したが、それに限らず、例えば、ディスプレイ装置、パーソナルコンピュータ、タブレット端末、スマートフォン、携帯電話機、ヘッドマウンドディスプレイ、ゲーム機などの電子機器であってもよい。
【０１１８】
また、上述した説明において、表示装置１０の表示部１０４が、液晶表示部１２３とバックライト１２５を含んで構成される場合を説明したが、表示部１０４の構成としてはそれに限らず、例えば、自発光表示部を含んで構成され、その輝度が制御されるようにしてもよい。
【０１１９】
（表示部の他の構成）
図２２は、図２の表示部１０４の他の構成の例を示すブロック図である。
【０１２０】
図２２において、表示部１０４は、信号処理部１４１、表示駆動部１４２、及び自発光表示部１４３を含む。
【０１２１】
信号処理部１４１は、そこに入力される映像信号に基づいて、所定の映像信号処理を行う。この映像信号処理では、自発光表示部１４３の駆動を制御するための映像信号が生成され、表示駆動部１４２に供給される。
【０１２２】
表示駆動部１４２は、信号処理部１４１から供給される映像信号に基づいて、自発光表示部１４３を駆動する。自発光表示部１４３は、自発光素子を含む画素を２次元状に配置した表示パネルであり、表示駆動部１４２からの駆動に従い、表示を行う。
【０１２３】
ここで、自発光表示部１４３は、例えば、有機エレクトロルミネッセンス（有機EL）を用いた有機EL表示部（OLED表示部）等の自発光型の表示パネルである。すなわち、自発光表示部１４３として、有機EL表示部（OLED表示部）を採用した場合、表示装置１０は、有機EL表示装置（OLED表示装置）とされる。
【０１２４】
OLED(Organic Light Emitting Diode)は、陰極と陽極との間に、有機発光材料を挟んだ構造からなる発光素子であって、有機EL表示部（OLED表示部）に２次元状に配置される画素を構成している。この画素に含まれるOLEDは、映像信号処理によって生成される駆動制御信号（OLED駆動制御信号）に従って駆動される。なお、自発光表示部１４３において、各画素は、例えば、赤色（Ｒ），緑色（Ｇ），青色（Ｂ），白色（Ｗ）の４つのサブ画素により構成される。
【０１２５】
（実施の形態の組み合わせ）
なお、上述した説明では、表示装置１０に表示される表示画面として、複数の表示例を示したが、各表示画面の表示例を単独で表示することは勿論、複数の表示例が組み合わされた表示画面が表示されるようにしてもよい。また、上述した説明において、システムとは、複数の構成要素（装置、モジュール（部品）等）の集合を意味し、すべての構成要素が同一筐体中にあるか否かは問わない。
【０１２６】
＜３．コンピュータの構成＞
【０１２７】
上述した一連の処理（例えば、図１６乃至図１９のフローチャートに示した処理）は、ハードウェアにより実行することもできるし、ソフトウェアにより実行することもできる。一連の処理をソフトウェアにより実行する場合には、そのソフトウェアを構成するプログラムが、各装置のコンピュータにインストールされる。図２３は、上述した一連の処理をプログラムにより実行するコンピュータのハードウェアの構成の例を示すブロック図である。
【０１２８】
コンピュータ１０００において、CPU(Central Processing Unit)１００１、ROM(Read Only Memory)１００２、RAM(Random Access Memory)１００３は、バス１００４により相互に接続されている。バス１００４には、さらに、入出力インターフェース１００５が接続されている。入出力インターフェース１００５には、入力部１００６、出力部１００７、記録部１００８、通信部１００９、及び、ドライブ１０１０が接続されている。
【０１２９】
入力部１００６は、マイクロフォン、キーボード、マウスなどよりなる。出力部１００７は、スピーカ、ディスプレイなどよりなる。記録部１００８は、ハードディスクや不揮発性のメモリなどよりなる。通信部１００９は、ネットワークインターフェースなどよりなる。ドライブ１０１０は、磁気ディスク、光ディスク、光磁気ディスク、又は半導体メモリなどのリムーバブル記録媒体１０１１を駆動する。
【０１３０】
以上のように構成されるコンピュータ１０００では、CPU１００１が、ROM１００２や記録部１００８に記録されているプログラムを、入出力インターフェース１００５及びバス１００４を介して、RAM１００３にロードして実行することにより、上述した一連の処理が行われる。
【０１３１】
コンピュータ１０００（CPU１００１）が実行するプログラムは、例えば、パッケージメディア等としてのリムーバブル記録媒体１０１１に記録して提供することができる。また、プログラムは、ローカルエリアネットワーク、インターネット、デジタル衛星放送といった、有線又は無線の伝送媒体を介して提供することができる。
【０１３２】
コンピュータ１０００では、プログラムは、リムーバブル記録媒体１０１１をドライブ１０１０に装着することにより、入出力インターフェース１００５を介して、記録部１００８にインストールすることができる。また、プログラムは、有線又は無線の伝送媒体を介して、通信部１００９で受信し、記録部１００８にインストールすることができる。その他、プログラムは、ROM１００２や記録部１００８に、あらかじめインストールしておくことができる。
【０１３３】
ここで、本明細書において、コンピュータがプログラムに従って行う処理は、必ずしもフローチャートとして記載された順序に沿って時系列に行われる必要はない。すなわち、コンピュータがプログラムに従って行う処理は、並列的あるいは個別に実行される処理（例えば、並列処理あるいはオブジェクトによる処理）も含む。また、プログラムは、１のコンピュータ（プロセッサ）により処理されてもよいし、複数のコンピュータによって分散処理されてもよい。
【０１３４】
なお、本技術の実施の形態は、上述した実施の形態に限定されるものではなく、本技術の要旨を逸脱しない範囲において種々の変更が可能である。
【０１３５】
例えば、図１６乃至図１９のフローチャートに示した処理の各ステップは、１つの装置で実行する他、複数の装置で分担して実行することができる。さらに、１つのステップに複数の処理が含まれる場合には、その１つのステップに含まれる複数の処理は、１つの装置で実行する他、複数の装置で分担して実行することができる。
【０１３６】
なお、本技術は、以下のような構成をとることができる。
【０１３７】
（１）
ユーザを撮影して得られる画像フレームに応じた映像を表示部に表示するに際して、前記画像フレームにおける前記ユーザを含む第１の領域と前記第１の領域を除いた第２の領域のうちの少なくとも前記第２の領域の一部を含む照明領域の輝度を制御して、前記ユーザに対して光を発する照明として機能させる制御部を備える
表示装置。
（２）
前記表示部は、前記ユーザの鏡像又は正像の映像を表示することで、前記ユーザを映した鏡として機能し、
前記照明は、前記ユーザが化粧をする際に用いられる照明として機能する
前記（１）に記載の表示装置。
（３）
前記制御部は、AR技術により前記第１の領域に含まれる前記ユーザの映像に対して各種の情報を重畳する
前記（２）に記載の表示装置。
（４）
前記制御部は、前記ユーザの顔の映像に化粧を施した映像を表示する
前記（３）に記載の表示装置。
（５）
前記制御部は、
化粧品に関する情報を表示し、
前記ユーザにより選択された前記化粧品に応じた化粧を施す
前記（４）に記載の表示装置。
（６）
前記制御部は、前記ユーザの映像に対してアクセサリ及び衣装の少なくとも一方の映像を重畳した映像を表示する
前記（３）乃至（５）のいずれかに記載の表示装置。
（７）
前記制御部は、前記第２の領域に含まれる背景の映像に対して所定の映像処理を施した映像を表示する
前記（２）乃至（６）のいずれかに記載の表示装置。
（８）
前記制御部は、前記背景の映像に対するぼかし処理、又は前記ユーザの映像と他の背景の映像とを合成する合成処理を施す
前記（７）に記載の表示装置。
（９）
前記制御部は、前記照明領域の色温度を制御して、シチュエーションに応じた環境光をエミュレートする
前記（２）乃至（８）のいずれかに記載の表示装置。
（１０）
前記制御部は、前記ユーザの化粧に応じたチュートリアル動画の映像を表示する
前記（２）乃至（９）のいずれかに記載の表示装置。
（１１）
前記制御部は、前記ユーザの音声操作に応じて、前記チュートリアル動画の再生を制御する
前記（１０）に記載の表示装置。
（１２）
前記制御部は、前記第１の領域に含まれる前記ユーザの顔の映像の一部であって、前記ユーザの化粧の対象となる部位を部分的に拡大した映像を表示する
前記（１０）又は（１１）に記載の表示装置。
（１３）
ネットワークを介してサーバと通信する通信部をさらに備え、
前記通信部は、前記ユーザの操作に応じて、前記化粧品を含む商品を販売するサイトを提供するサーバにアクセスして、前記商品に関する情報をやりとりする
前記（５）に記載の表示装置。
（１４）
ネットワークを介してサーバと通信する通信部をさらに備え、
前記通信部は、前記ユーザの操作に応じて、SNSを提供するサーバにアクセスして、前記ユーザの化粧完了後の画像を送信する
前記（２）乃至（１２）のいずれかに記載の表示装置。
（１５）
前記第１の領域に含まれる前記ユーザの映像のデータを記録する記録部をさらに備え、  前記制御部は、前記記録部に記録された前記データに基づいて、前記ユーザの映像をタイムシフトで表示する
前記（２）乃至（１２）のいずれかに記載の表示装置。
（１６）
前記照明領域は、前記表示部における表示画面の上部、下部、左部、及び右部の領域のうちの少なくとも一部の領域を含む領域からなるか、又はドーナツ型の領域からなり、
前記制御部は、前記照明領域の明るさに応じて、前記照明領域の輝度を制御する
前記（２）乃至（１２）のいずれかに記載の表示装置。
（１７）
前記表示部は、
前記ユーザの位置が所定の範囲外となる場合、コンテンツの映像を表示し、
前記ユーザの位置が所定の範囲内になったとき、前記ユーザを映した鏡として機能する
前記（２）乃至（１２）のいずれかに記載の表示装置。
（１８）
前記表示部は、液晶表示部を含み、
前記制御部は、前記液晶表示部に対して設けられるバックライトの輝度を制御する
前記（１）乃至（１７）のいずれかに記載の表示装置。
（１９）
テレビ受像機として構成される
前記（１）乃至（１８）のいずれかに記載の表示装置。
（２０）
表示装置が、
ユーザを撮影して得られる画像フレームに応じた映像を表示部に表示するに際して、前記画像フレームにおける前記ユーザを含む第１の領域と前記第１の領域を除いた第２の領域のうちの少なくとも前記第２の領域の一部を含む照明領域の輝度を制御して、前記ユーザに対して光を発する照明として機能させる
表示制御方法。
【符号の説明】
【０１３８】
１０  表示装置，  ２０  ルータ，  ３０−１乃至３０−Ｎ  サーバ，  ４０  ネットワーク，  １００  制御部，  １０１  チューナ部，  １０２  デコーダ部，  １０３  スピーカ部，  １０４  表示部，  １０５  通信部，  １０６  記録部，  １０７  カメラ部，  １０８  センサ部，  １０９  マイク部，  １１０  電源部，  １２１  信号処理部，  １２２  表示駆動部，  １２３  液晶表示部，  １２４  バックライト駆動部，  １２５  バックライト，  １４１  信号処理部，  １４２  表示駆動部，  １４３  自発光表示部，  １０００  コンピュータ，  １００１  CPU
【図１】
2020090458.tif 000003
【図２】
2020090458.tif 000004
【図３】
2020090458.tif 000005
【図４】
2020090458.tif 000006
【図５】
2020090458.tif 000007
【図６】
2020090458.tif 000008
【図７】
2020090458.tif 000009
【図８】
2020090458.tif 000010
【図９】
2020090458.tif 000011
【図１０】
2020090458.tif 000012
【図１１】
2020090458.tif 000013
【図１２】
2020090458.tif 000014
【図１３】
2020090458.tif 000015
【図１４】
2020090458.tif 000016
【図１５】
2020090458.tif 000017
【図１６】
2020090458.tif 000018
【図１７】
2020090458.tif 000019
【図１８】
2020090458.tif 000020
【図１９】
2020090458.tif 000021
【図２０】
2020090458.tif 000022
【図２１】
2020090458.tif 000023
【図２２】
2020090458.tif 000024
【図２３】
2020090458.tif 000025
【国際調査報告】
2020090458.tif 000026
2020090458.tif 000027
2020090458.tif 000028
2020090458.tif 000029
2020090458.tif 000030
2020090458.tif 000031